(57)【要約】      （修正有）【課題】最近の長いつけまつげやまつげエクステでもメイクしたまつげが押し潰さない十分な空間が形成され、構造が単純で量産に適し、使い捨てが可能な日々の使用に供することができ、簡単に折り畳め携帯性に優れたアイマスクを提供する。【解決手段】使用時に両目を覆う横長のマスク本体１２と、このマスク本体の両端に着用時に耳を掛ける耳掛け部２０ａ，２０ｂとを備えたアイマスク１０において、マスク本体は左目を覆う左目用マスク部１３ｂと右目を覆う右目用マスク部１３ａとを備えるとともに、左目用マスク部と右目用マスク部の間に鼻用切り欠き部１８が形成され、左目用マスク部と右目用マスク部にはそれぞれ、使用者の目との間に十分な空間が形成されるよう空間形成手段を設けた。【選択図】図１
2011161219.tif 000002
【特許請求の範囲】
【請求項１】
使用時に両目を覆う横長のマスク本体と、該マスク本体の両端に着用時に耳を掛ける耳掛け部とを備えたアイマスクにおいて、
前記マスク本体は右目を覆う右目用マスク部と左目を覆う左」目用マスク部とを備えるとともに、前記右目用マスク部と左目用マスク部の間に鼻用切り欠き部が形成され、
前記右目用マスク部と左目用マスク部にはそれぞれ、使用者の目との間に十分な空間が形成されるよう空間形成手段を設けたことを特徴とするアイマスク。
【請求項２】
請求項１に記載のアイマスクにおいて、前記空間形成手段はワイヤであることを特徴とするアイマスク。
【請求項３】
請求項１に記載のアイマスクにおいて、前記空間形成手段は縫い目であることを特徴とするアイマスク。
【請求項４】
請求項１に記載のアイマスクにおいて、前記空間形成手段はワイヤと縫い目の組み合わせであることを特徴とするアイマスク。
【請求項５】
請求項１に記載のアイマスクにおいて、前記空間形成手段はワイヤと所定の形状の布を縫い合わせたものであることを特徴とするアイマスク。
【請求項６】
請求項１に記載のアイマスクにおいて、前記マスク本体は前記右目用マスク部と前記左目用マスク部の境界である第１の折り畳み部と、前記右目用マスク部に形成された第２の折り畳み部と、前記左目用マスク部に形成された第３の折り畳み部とにより、折り畳めることを特徴とするアイマスク。
【請求項７】
請求項１〜６に記載のアイマスクにおいて、前記マスク本体と耳掛け部の素材は不織布であることを特徴とするアイマスク。
【請求項８】
請求項１〜６に記載のアイマスクにおいて、前記マスク本体の両端裏面に前記耳掛け部の代わりに顔面に付着可能な粘着部材を設けたことを特徴とするアイマスク。
【発明の詳細な説明】
【技術分野】
【０００１】
本発明はまつげメイクを損なわないアイマスク、より具体的には、両眼に接する部分（覆い部）を隆起状とし、両眼との間に空間部を形成したアイマスクに関する。
【背景技術】
【０００２】
女性にとって目のおしゃれは、顔全体の印象を大きく変えるため、化粧メイクの中でも特に重要であり、古くからアイラインやつけまつげ等により、目を大きく見せる工夫がなされている。さらに最近では、専用の接着剤で人工毛を地まつげに付けるまつげエクステや、まつげのカールを持続させるまつげパーマ等の愛用者も増えている。そして、最近の傾向としては２０代〜３０代の女性の間で、より長いまつげメイクが流行っている。
【０００３】
一方、アイマスクを着用する場面も近年では増えている。例えば長距離バスや飛行機または新幹線等での移動中に仮眠をとるときに利用したり、ヘッドスパやボディマッサージ等のエステ中にも利用者がリラックスできるよう使用されている。また、ＰＣ作業による眼精疲労回復のため、休憩時間等にアイマスクをかけて目を休めるような使い方も多くなっている。
【特許文献１】特開２００６−２４７０４６号公報
【特許文献２】実用新案登録第３１４２８６０号公報
【発明の開示】
【発明が解決しようとする課題】
【０００４】
しかしながら、現在市販されているアイマスクでは目を覆うマスク本体が扁平なので、立体型になっているものでも装着するとメイクしたまつげが押し潰されて台無しになってしまうという問題があった。とくにまつげエクステの場合、施術費用が高価であり、一ヶ月位はそのままの状態で生活するため、アイマスクにより形状等が変わってしますのは大きな問題であった。
また、市販されているアイマスクは丈夫な布製や樹脂製によるものが多く、使い捨てに適しておらず、エステサロンで不特定多数の人に使用する場合や目の疲労回復のために日々使用する場合には不便を生じるという問題もあった。さらに、市販されているアイマスクはコンパクトに折り畳める構造のものがなく、バックに入れると嵩張ってしまい携帯性にも問題があった。
【０００５】
本発明はこのような従来技術の課題を解決し、最近の長いつけまつげやまつげエクステでもメイクしたまつげが押し潰されないアイマスクを提供することを目的とする。また、構造が単純で量産に適し、使い捨てが可能な日々の使用に供することができるアイマスクを提供することを目的とする。さらに、簡単に折り畳め携帯性に優れたアイマスクを提供することを目的とする。
【課題を解決するための手段】
【０００６】
上記目的を達成するために、本発明の請求項１に記載のアイマスクは、使用時に両目を覆う横長のマスク本体と、このマスク本体の両端に着用時に耳を掛ける耳掛け部とを備えたアイマスクにおいて、マスク本体は右目を覆う右目用マスク部と左目を覆う左目用マスク部とを備えるとともに、右目用マスク部と左目用マスク部の間に鼻用切り欠き部が形成され、右目用マスク部と左目用マスク部にはそれぞれ、使用者の目との間に十分な空間が形成されるよう空間形成手段を設けたことを特徴とする。
【０００７】
請求項２に記載のアイマスクは、空間形成手段がワイヤであることを特徴とする。
【０００８】
請求項３に記載のアイマスクは、空間形成手段が縫い目であることを特徴とする。
【０００９】
請求項４に記載のアイマスクは、空間形成手段がワイヤと縫い目の組み合わせである。
【００１０】
請求項５に記載のアイマスクは、空間形成手段がワイヤと所定の形状の布を縫い合わせたものであることを特徴とする。
【００１１】
請求項６に記載のアイマスクは、マスク本体が右目用マスク部と左目用マスク部の境界である第１の折り畳み部と、右目用マスク部に形成された第２の折り畳み部と、左目用マスク部に形成された第３の折り畳み部とにより、折り畳めることを特徴とする。
【００１２】
請求項７に記載のアイマスクは、請求項１〜６に記載のアイマスクにおいて、マスク本体と耳掛け部の素材が不織布であることを特徴とする。
【００１３】
請求項８に記載のアイマスクは、請求項１〜６に記載のアイマスクにおいて、マスク本体の両端裏面に耳掛け部の代わりに顔面に付着可能な粘着部材を設けたことを特徴とする。
【発明の効果】
【００１４】
本発明によるアイアイマスクによれば、目の覆い部と両眼との間、特にまぶた上下部分との間にかなり長いまつげでも接触しない十分な隆起状の空間部を形成しつつ着用できるので、まつげメイクが台無しになることはない。また、本発明では、つけまつげ、まつげエクステの長さ、ボリューム感が日々進化して長くなっても対応可能である。したがって、まつげメイクを気にすることなくヘッドスパ、ボディマッサージ等のエステ中に使用したり、ＰＣ作業による眼精疲労回復時に使用することができる。
【００１５】
また、上記効果の他にコンパクトに折り畳める構造なので、バック等に入れても嵩張らずに持ち運べ、飛行機や長距離バス、電車等での仮眠のときにも手軽に利用することができる。さらに、不織布や紙等の安価な素材を利用すれば、量産や使い捨てが可能となり、日々の使用に供することができる。
【発明を実施するための最良の形態】
【００１６】
次に添付図面を参照して本発明によるアイマスクの実施の形態を詳細に説明する。図１を参照すると、本発明によるアイマスクの第１の実施の形態を示すアイマスク１０の正面図（ａ）と、この図のＸ−Ｘ′線での断面図（ｂ）が示されている。
【００１７】
図１（ａ）に示すように、アイマスク１０は、着用時に両目を覆う横長のマスク本体１２と、その左右に取り付けられた耳掛け部２０ａ，２０ｂにより構成されている。マスク本体１２と耳掛け部２０ａ，２０ｂは、例えば黒、紺、グレーまたは茶等の暗い色彩の不織布で形成されている。マスク本体１２は外光を遮断できる厚みや空隙の不織布が用いられ、右目用マスク部１３ａと左目用マスク部１３ｂとにより構成されている。
【００１８】
右目用マスク部１３ａと左目用マスク部１３ｂはそれぞれ、これらマスク部１３を隆起状に立体化させるために、縫い合わせた縦のダーツ１４ａ，１４ｂと横のダーツ１６ａ，１６ｂとが形成されている。なお、ダーツとは不織布の一部をつまんで縫い合わせ、立体化する手法である。縦のダーツ１４ａ，１４ｂは、右目用マスク部１３ａと左目用マスク部１３ｂの真ん中よりも弱冠中心１９側に形成されている。また、横のダーツ１６ａ，１６ｂは、マスク本体１２の横方向の中心かまたはそれよりやや上側に形成されている。
【００１９】
これらダーツ１４および１５により、図１（ｂ）に示すように、右目用マスク部１３ａと左目用マスク部１３ｂは両眼との間に目じり部分に至るまで十分な空間１７ａおよび１７ｂを形成できる。このため、アイマスク１０を着用したときに、かなり長いまつげや目尻部分が長いまつげでも接触することがない。
【００２０】
マスク本体１２はまた、マスク本体１２を２等分する中心１９の下に着用者の鼻が当接する略三角形の鼻用切り欠き部１８が形成されている。このように鼻用切り欠き部１８を形成することで、マスク本体１２と使用者の顔面との密着性が増し、右目用マスク部１３ａと左目用マスク部１３ｂを立体的に形成しても外光がその内部に侵入することを防ぐことができる。
【００２１】
マスク本体１２の左右両側には、着用者の左右の耳に掛ける耳掛け部２０ａ，２０ｂが縫製または接着により取り付けられている。耳掛け部２０ａ，２０ｂは、不織布の中でも比較的伸びる素材で形成されている。耳掛け部２０ａ，２０ｂにはまた、着用者の耳に掛ける長円弧状の開口部２２ａ，２２ｂと３つのスリット２３ａ，２３ｂが形成されている。これらスリット２３ａ，２３ｂは、着用時に必要に応じて開くために設けられたものでアイマスク１０の着用を容易にしている。なお、本実施例ではスリットは３つとしているがスリットの数は特にこの数に限定されるものではない。
【００２２】
図２はアイマスク１０を着用したときの状態を示す説明図である。同図に示すようにアイマスク１０は、右目用マスク部１３ａと左目用マスク部１３ｂに分かれ、縦のダーツ１４ａ，１４ｂと横のダーツ１６ａ，１６ｂとにより、隆起状の十分な空間１７ａ，１７ｂ（図１（ｂ）参照）を形成することができる。また、鼻用切り欠き部１８により、アイマスク１０は顔面にフィットするので外光を遮断することができる。
【００２３】
図３はアイマスク１０を折り畳んで時の状態を示す説明図である。図１（ａ）と図３とを用いてアイマスク１０を折り畳む手順を説明するが、通常は図３の折り畳んだ状態で保管され、使用時に拡げて着用するものである。まず、中心１９、縦のダーツ１４ａ，１４ｂで折り畳み、さらに、耳掛け部２０ａ，２０ｂを手前に折り畳むと図３の状態になる。このように、アイマスク１０は大変コンパクトに折り畳め、素材も不織布なので薄く、軽量であるため、携帯性に非常に優れている。
【００２４】
図４は本発明によるアイマスクの第２の実施の形態を示すアイマスク３０の正面図である。なお、これから説明する他の実施の形態において、アイマスク１０と同じ構成要素には同じ符号を付し、重複する説明は省略する。アイマスク３０は縦のダーツ１４ａ，１４ｂの代わりに、ソフトワイヤ３４ａ，３４ｂを入れたアイマスクである。アイマスク３０では、ソフトワイヤ３４ａ，３４ｂを入れたことにより、右目用マスク部３３ａと左目用マスク部３３ｂは、縦の空間の形状を使用者が自由に変えることができる。
【００２５】
図５は本発明によるアイマスクの第３の実施の形態を示すアイマスク４０の正面図である。アイマスク４０は、縦のダーツ１４ａ，１４ｂと横のダーツ１６ａ，１６ｂの代わりに、縦のソフトワイヤ４４ａ，４４ｂと横のソフトワイヤ４６ａ，４６ｂを入れたアイマスクである。アイマスク４０では、縦のソフトワイヤ４４ａ，４４ｂと横のソフトワイヤ４６ａ，４６ｂとにより、右目用マスク部４３ａと左目用マスク部４３ｂは、縦と横の空間の形状を使用者が自由に変えることができる。なお、アイマスク４０において、ここでは横のソフトワイヤをソフトワイヤ４６ａ，４６ｂの２本としたが、1本のソフトワイヤで代用しても良い。
【００２６】
図６は本発明によるアイマスクの第４の実施の形態を示すアイマスク５０の正面図である。アイマスク５０は、アイマスク４０の横のソフトワイヤ４６ａ，４６ｂの代わりに、ソフトワイヤ５６ａ，５６ｂを用いたものである。同図に示すようにソフトワイヤ５６ａ，５６ｂはそれぞれ、耳掛け部２０ａ，２０ｂが取り付けられた位置から縦のソフトワイヤ４４ａ,４４ｂの位置までの長さになっている。このように両サイドにソフトワイヤを取り付けることで、アイマスク５０は目尻部分が長いアイメイクでも十分な空間を確保できる構造になっている。
【００２７】
図７は本発明によるアイマスクの第５の実施の形態を示すアイマスク６０の正面図である。アイマスク６０では右目用と左目用にそれぞれ２本のソフトワイヤを×印の形状で取り付けたアイマスクである。すなわち、右目用マスク部６３ａにはその対角線を結ぶソフトワイヤ６４ａと６５ａが、左目用マスク部６３ｂにはその対角線を結ぶソフトワイヤ６４ｂと６５ｂがそれぞれ取り付けられている。このようにソフトワイヤをクロスに配置することで、潰れにくい右目用マスク部６３ａと左目用マスク部６３ｂを形成できる。
【００２８】
図８は本発明によるアイマスクの第６の実施の形態を示すアイマスク７０の正面図である。アイマスク７０は、右目用マスク部７３ａと左目用マスク部７３ｂのそれぞれ中央に、長円形の不織布である別布７８ａ,７８ｂを縫い付けてマスク本体７２を形成している。右目用マスク部７３ａの別布７８ａの両側の上部には、縦方向のソフトワイヤ７４ａ,７５ａが、下部には縦方向のソフトワイヤ７６ａ,７７ａがそれぞれ設けられている。
【００２９】
同様に、左目用マスク部７３ｂの別布７８ｂの両脇の上部には、縦方向のソフトワイヤ７４ｂ,７５ｂが、下部には縦方向のソフトワイヤ７６ｂ,７７ｂがそれぞれ設けられている。このように別布７８を縫い付けることでマスク部７３ａ,７３ｂの頂上を平らの形状にすることができる。また、アイマスク７０では別布７８ａ,７８ｂの上下両脇にそれぞれ４本のソフトワイヤ７４〜７７が取り付けられているので、これらワイヤにより膨らみの調整も行うことが可能である。
【００３０】
図９は本発明によるアイマスクの第７の実施の形態を示すアイマスク８０の正面図である。アイマスク８０はアイマスク７０の変形例であり、右目用マスク部８３ａと左目用マスク部８３ｂの中央にそれぞれ、菱形の不織布である別布８７ａ,８７ｂを縫い付けてマスク本体８２を形成している。アイマスク８０では、別布８７ａの縦中央の上下とサイドにソフトワイヤ８４ａ,８５ａ，８６ａが取り付けられている。同様に別布８７ｂの縦中央の上下とサイドにソフトワイヤ８４ｂ,８５ｂ，８６ｂが取り付けられている。
【００３１】
アイマスク８０の場合もアイマスク７０と同様に、別布８７を縫い付けることでマスク部８３ａ,８３ｂの頂上を平らにすることができる。また、縦方向のソフトワイヤ８４,８５により縦方向の膨らみを、サイドに設けられた横方向のソフトワイヤ８６により目尻部分の膨らみを調整することができる。
【００３２】
図１０は耳掛け部２０ａ，２０ｂの代わりに、縦長で帯状の粘着テープ９４ａ,９４ｂをマスク本体９２の裏面両サイドに取り付けたマスク本体９２を示している。このように、今まで説明した第１の実施の形態から第７の実施の形態のアイマスクにおいて、耳掛け部２０ａ，２０ｂの代わりに粘着テープ９４ａ,９４ｂを用いることで、外観的にすっきりしたアイマスクを提供することが可能となる。
【００３３】
以上詳細に説明したように本実施の形態のアイマスクによれば、つけまつげやまつげエクステの長さ、ボリューム感が変化し、かなり長いまつげエクステの場合でも、まつげに接触することなくアイマスクを着用可能となる。したがって、使用者は安心して飛行機、新幹線、長距離バスでも使用できるとともに、エステサロン等でも安心して利用できる。また、素材を不織布にしたり、その構造も比較的単純なので大量生産に向き、コストを抑えることが可能である。
【００３４】
なお、上述した本実施の形態を説明する図面では、ソフトワイヤの位置を明確にするためにあたかも正面に見える状態で取り付けられているように図示したが、たとえばデザインを重視して不織布の内部に埋め込んでもよい。また、本実施の形態ではアイマスクの素材を不織布としたが、特にこれに限定されるものではなく、紙等の素材であってもよい。このように、本発明は上記実施の形態に限定されるものではなく、本発明の技術的思想および範囲から逸脱することなく、様々な修正および変形は、本発明の範囲に含まれる。したがって、それらの変形例または修正例についても本発明の特許請求の範囲に属するものと理解すべきである。  
【図面の簡単な説明】
【００３５】
【図１】本発明によるアイマスクの第1の実施の形態を示すアイマスク１０の正面図（ａ）と、Ｘ−Ｘ′線の断面図（ｂ）。
【図２】図1に示したアイマスク１０を着用したときの状態を示す斜視図。
【図３】図1に示したアイマスク１０を折り畳んだ状態を示す斜視図。
【図４】本発明によるアイマスクの第２の実施の形態を示すアイマスク３０の正面図。
【図５】本発明によるアイマスクの第３の実施の形態を示すアイマスク４０の正面図。
【図６】本発明によるアイマスクの第４の実施の形態を示すアイマスク５０の正面図。
【図７】本発明によるアイマスクの第５の実施の形態を示すアイマスク６０の正面図。
【図８】本発明によるアイマスクの第６の実施の形態を示すアイマスク７０の正面図。
【図９】本発明によるアイマスクの第７の実施の形態を示すアイマスク８０の正面図。
【図１０】耳掛け部の代わりに粘着テープを使用したときのマスク本体９２の裏面図。
【符号の説明】
【００３６】
１０、３０、４０、５０，６０，７０，８０  アイマスク
１２、７２、８２、９２  マスク本体
１３ａ、３３ａ、４３ａ、５３ａ、６３ａ、７３ａ、８３ａ  右目用マスク部
１３ｂ、３３ｂ、４３ｂ、５３ｂ、６３ｂ、７３ｂ、８３ｂ  左目用マスク部
１４ａ、１４ｂ  縦のダーツ
１６ａ、１６ｂ  横のダーツ
１８  鼻用切り欠き部
２０ａ、２０ｂ  耳掛け部
２２ａ，２２ｂ  開口部
２３ａ、２３ｂ  スリット
３４ａ、３４ｂ、４４ａ、４４ｂ、４６ａ、４６ｂ、５６ａ、５６ｂ、
６５ａ、６５ｂ、７４ａ、７４ｂ、７５ａ、７５ｂ、７６ａ、７６ｂ、７７ａ、７７ｂ、８４ａ、８４ｂ、８５ａ、８５ｂ、８６ａ、８６ｂ  ソフトワイヤ
７８ａ、７８ｂ、８７ａ、８７ｂ  別布
９４ａ、９４ｂ  粘着テープ     
【図１】
2011161219.tif 000003
【図２】
2011161219.tif 000004
【図３】
2011161219.tif 000005
【図４】
2011161219.tif 000006
【図５】
2011161219.tif 000007
【図６】
2011161219.tif 000008
【図７】
2011161219.tif 000009
【図８】
2011161219.tif 000010
【図９】
2011161219.tif 000011
【図１０】
2011161219.tif 000012
【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
使用時に両目を覆う横長のマスク本体と、該マスク本体の両端に着用時に耳を掛ける耳掛け部とを備えたアイマスクにおいて、前記マスク本体は右目を覆う右目用マスク部と左目を覆う左目用マスク部とを備えるとともに、前記右目用マスク部と左目用マスク部との間に鼻用切り欠き部が形成され、
前記右目用マスク部と左目用マスク部にはそれぞれ、使用者の目との間に十分な空間が形成されるよう空間形成手段を設けたことを特徴とするアイマスク。
【請求項２】
前記空間形成手段は、前記右目用マスク部及び前記左目用マスク部を隆起状に立体化させる縫い目であり、前記縫い目は前記右目用マスク部及び前記左目用マスク部の一部をつまんで縫い合わせたことを特徴とする請求項１に記載のアイマスク。
【請求項３】
前記空間形成手段は、前記右目用マスク部及び前記左目用マスク部を隆起状に立体化させるソフトワイヤであることを特徴とする請求項１又は請求項２記載のアイマスク。
【請求項４】
前記空間形成手段は、前記右目用マスク部及び前記左目用マスク部を隆起状に立体化させるソフトワイヤと、前記右目用マスク部及び前記左目用マスク部にそれぞれ縫い付けられた布とであることを特徴とする請求項１に記載のアイマスク。
【請求項５】
前記マスク本体は前記右目用マスク部と前記左目用マスク部の境界である第１の折り畳み部と、前記右目用マスク部に形成された第２の折り畳みと、前記左目用マスク部に形成された第３の折り畳み部とにより、折り畳めることを特徴とする請求項１から請求項４のいずれかに記載のアイマスク。
【請求項６】
前記マスク本体と前記耳掛け部の素材は不織布であることを特徴とする請求項１から請求項５のいずれかに記載のアイマスク。
【請求項７】
前記マスク本体の両端裏面に前記耳掛け部の代わりに顔面に付着可能な粘着部材を設けたことを特徴とする請求項１から請求項６のいずれかに記載のアイマスク。
【手続補正２】
【補正対象書類名】明細書
【補正対象項目名】０００７
【補正方法】変更
【補正の内容】
【０００７】
請求項２に記載のアイマスクは、空間形成手段が、右目用マスク部及び左目用マスク部を隆起状に立体化させる縫い目であり、縫い目は右目用マスク部及び左目用マスク部の一部をつまんで縫い合わせたことを特徴とする。
【手続補正３】
【補正対象書類名】明細書
【補正対象項目名】０００８
【補正方法】変更
【補正の内容】
【０００８】
請求項３に記載のアイマスクは、空間形成手段が右目用マスク部及び左目用マスク部を隆起状に立体化させるソフトワイヤであることを特徴とする。
【手続補正４】
【補正対象書類名】明細書
【補正対象項目名】０００９
【補正方法】変更
【補正の内容】
【０００９】
請求項４に記載のアイマスクは、空間形成手段が、右目用マスク部及び左目用マスク部を隆起状に立体化させるソフトワイヤと、右目用マスク部及び左目用マスク部にそれぞれ縫い付けられた布とであることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
請求項５に記載のアイマスクは、マスク本体が右目用マスク部と左目用マスク部の境界である第１の折り畳み部と、右目用マスク部に形成された第２の折り畳みと、左目用マスク部に形成された第３の折り畳み部とにより、折り畳めることを特徴とする。
【手続補正７】
【補正対象書類名】明細書
【補正対象項目名】００１２
【補正方法】変更
【補正の内容】
【００１２】
請求項６に記載のアイマスクは、マスク本体と耳掛け部の素材は不織布であることを特徴とする。
【手続補正８】
【補正対象書類名】明細書
【補正対象項目名】００１３
【補正方法】変更
【補正の内容】
【００１３】
請求項７に記載のアイマスクは、マスク本体の両端裏面に耳掛け部の代わりに顔面に付着可能な粘着部材を設けたことを特徴とする。
【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
使用時に両目を覆う横長のマスク本体と、該マスク本体の両端に着用時に耳を掛ける耳掛け部とを備えたアイマスクにおいて、前記マスク本体は右目を覆う右目用マスク部と左目を覆う左目用マスク部とを備えるとともに、前記右目用マスク部と左目用マスク部との間に鼻用切り欠き部が形成され、
前記右目用マスク部と左目用マスク部にはそれぞれ、使用者の目との間に十分な空間が形成されるよう空間形成手段を設けており、
前記空間形成手段は、前記右目用マスク部及び前記左目用マスク部を隆起状に立体化させる縫い目及びソフトワイヤであり、前記縫い目は前記右目用マスク部及び前記左目用マスク部の一部をつまんで縫い合わせており、
前記マスク本体は、前記右目用マスク部と前記左目用マスク部の境界である第１の折り畳み部と、前記右目用マスク部に形成された第２の折り畳みと、前記左目用マスク部に形成された第３の折り畳み部とにより、折り畳めることを特徴とするアイマスク。
【請求項２】
前記空間形成手段は、前記右目用マスク部及び前記左目用マスク部にそれぞれ縫い付けられた布をさらに有することを特徴とする請求項１に記載のアイマスク。
【請求項３】
前記マスク本体と前記耳掛け部の素材は不織布であることを特徴とする請求項１又は請求項２記載のアイマスク。
【請求項４】
前記マスク本体の両端裏面に前記耳掛け部の代わりに顔面に付着可能な粘着部材を設けたことを特徴とする請求項１から請求項３のいずれかに記載のアイマスク。
【手続補正２】
【補正対象書類名】明細書
【補正対象項目名】０００６
【補正方法】変更
【補正の内容】
【０００６】
上記目的を達成するために、本発明の請求項１に記載のアイマスクは、使用時に両目を覆う横長のマスク本体と、このマスク本体の両端に着用時に耳を掛ける耳掛け部とを備えたアイマスクにおいて、マスク本体は右目を覆う右目用マスク部と左目を覆う左目用マスク部とを備えるとともに、右目用マスク部と左目用マスク部との間に鼻用切り欠き部が形成され、右目用マスク部と左目用マスク部にはそれぞれ、使用者の目との間に十分な空間が形成されるよう空間形成手段を設けており、空間形成手段は、右目用マスク部及び左目用マスク部を隆起状に立体化させる縫い目及びソフトワイヤであり、縫い目は右目用マスク部及び左目用マスク部の一部をつまんで縫い合わせており、マスク本体は、右目用マスク部と左目用マスク部の境界である第１の折り畳み部と、右目用マスク部に形成された第２の折り畳みと、左目用マスク部に形成された第３の折り畳み部とにより、折り畳めることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項２に記載のアイマスクは、空間形成手段が、右目用マスク部及び左目用マスク部にそれぞれ縫い付けられた布をさらに有することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
請求項３に記載のアイマスクは、マスク本体と耳掛け部の素材は不織布であることを特徴とする。
【手続補正８】
【補正対象書類名】明細書
【補正対象項目名】００１３
【補正方法】変更
【補正の内容】
【００１３】
請求項４に記載のアイマスクは、マスク本体の両端裏面に耳掛け部の代わりに顔面に付着可能な粘着部材を設けたことを特徴とする。